(57)【要約】【課題】背面パネル（或いは前面パネル）を面音源とすることで十分な音圧を出力することができ、しかもデザイン性が良好で、水濡れによる加振器の故障発生を防止でき、さらにスピーカの薄型且つ軽量を図ること。【解決手段】シンク２の下方に設けられるキャビネット内空間３の後方Ｂを覆う背面パネル４が、キッチン６と隣接するリビング７側に臨んで配置される対面式の流し台キャビネット１である。背面パネル４のキャビネット内空間３に臨む裏面部４ｂに該背面パネル４を直接振動させるための加振器８を取り付けることで、該背面パネル４のリビング７側に臨む表面部４ａをスピーカ放音面９となるように構成した。【選択図】図１
2010051408.tif 000002
【特許請求の範囲】
【請求項１】
シンクの下方に設けられるキャビネット内空間の後方を覆う背面パネルが、キッチンと隣接するリビング側に臨んで配置される対面式の流し台キャビネットにおいて、上記背面パネルのキャビネット内空間に臨む裏面部に該背面パネルを直接振動させるための加振器を取り付けて、該背面パネルのリビング側に臨む表面部をスピーカ放音面となるように構成したことを特徴とする流し台キャビネット。
【請求項２】
シンクの下方に設けられるキャビネット内空間の前方を覆う前面パネルが、調理等の作業面側に臨んで配置される扉板、引出しの前板等を構成する流し台キャビネットにおいて、上記前面パネルのキャビネット内空間に臨む裏面部に該前面パネルを直接振動させるための加振器を取り付けて、該前面パネルの作業面側に臨む表面部をスピーカ放音面となるように構成したことを特徴とする流し台キャビネット。
【請求項３】
上記請求項１記載の背面パネル、又は、請求項２記載の前面パネルのいずれかを複数枚のパネル部で構成し、各パネル部の裏面部にそれぞれ加振器を取り付けると共に、各パネル部で発生した振動が隣接する他のパネル部或いはパネル部以外のキャビネット構成部材に伝搬するのを防止するための振動遮断手段を設けたことを特徴とする流し台キャビネット。
【発明の詳細な説明】
【技術分野】
【０００１】
本発明は、流し台キャビネットに関し、詳しくは流し台の前面パネル、又は背面パネルのいずれかにスピーカ機能を持たせる技術に関するものである。
【背景技術】
【０００２】
従来から、流し台の蹴込み部等の端部にスピーカを組み込む構成が特許文献１において知られているが、この構成ではスピーカの前面部が外部に露出しており、デザイン性を損なうだけでなく、スピーカの収納スペースが狭いために、十分な音圧を出力することができず、特に低音域の出力レベルが小さくなるなど、良好な音響特性（周波数特性）を得ることが難しいものである。そのうえ、単数のスピーカしか配設できないため、複数チャンネルのスピーカ出力を実現できず、たとえ複数のスピーカを設置できたとしても、それらの間隔が狭いために十分なステレオ感が得られないという問題もある。
【０００３】
他の従来例として、対面式流し台キャビネットの背面パネルにスピーカシステム（通常のスピーカ）を埋め込むと共に蹴込み部或いはキャビネット底板に設けた開口孔からスピーカ音を放射させる構造が知られている（例えば、特許文献２、３参照）。
【０００４】
しかしこれらの特許文献２、３に見られる従来の埋め込み型スピーカシステムでは、前面或いは背面に開口孔を設けることによってデザインが損なわれるだけでなく、常時水にさらされる流し台キャビネットにあっては、開口孔から水が浸入してスピーカの故障発生の原因となる。さらに良好な音響特性を出力するためにはスピーカ内部に十分な空気容量を必要とし、このため一定以上の奥行き寸法を必要とするため、奥行きのあるスピーカシステムを組み付ける必要があり、結果、キャビネット内空間の収納容積が狭められるという問題もある。
【特許文献１】特開２００３−８８４３３号公報
【特許文献２】特開２００６−１２２３８９号公報
【特許文献３】特開２００６−１０１９６１号公報
【発明の開示】
【発明が解決しようとする課題】
【０００５】
本発明は上記の従来の問題点に鑑みて発明したものであって、その課題とするところは、背面パネル或いは前面パネルを面音源とすることで十分な音圧を出力することができ、良好な音響特性、再生音量を得ることができ、しかもデザイン性が良好で、水濡れによる加振器の故障発生を防止でき、さらにスピーカの薄型且つ軽量を図ることができる流し台キャビネットを提供することにある。
【課題を解決するための手段】
【０００６】
上記の課題を解決するために、請求項１記載の対面式の流し台キャビネットは、シンク２の下方に設けられるキャビネット内空間３の後方Ｂを覆う背面パネル４が、キッチン６と隣接するリビング７側に臨んで配置されている。この背面パネル４のキャビネット内空間３に臨む裏面部４ｂに該背面パネル４を直接振動させるための加振器８を取り付けて、該背面パネル４のリビング７側に臨む表面部４ａをスピーカ放音面９となるように構成したことを特徴としている。
【０００７】
このような構成とすることで、面積の大きい背面パネル４がスピーカ放音面９として機能することで、背面パネル４全体が面音源となるため、同一の奥行きを持つ通常のスピーカと比較して、十分な音圧を出力することができ、特に低音域の出力レベルを大きくできるので、良好な音響特性、再生音量を得ることができるものである。しかも、加振器８は流し台キャビネット１の外部に露出せず、また従来のようなスピーカ音を出すための開口孔を設ける必要がないため、デザイン性が良好となり、水濡れによる加振器８の故障発生を防止できる。そのうえ通常のスピーカシステムを組み込む場合と比較してスピーカの薄型軽量化が図られ、キャビネット内空間３内への突出量を抑えることができ、収納容積減少量を最小限にできるようになる。
【０００８】
また請求項２記載の流し台キャビネットは、シンク２の下方に設けられるキャビネット内空間３の前方Ａを覆う前面パネル５が、調理等の作業面１７側に臨んで配置される扉板、引出しの前板等を構成している。上記前面パネル５のキャビネット内空間３に臨む裏面部５ｂに該前面パネル５を直接振動させるための加振器８を取り付けて、該前面パネル５の作業面１７側に臨む表面部５ａをスピーカ放音面９となるように構成したことを特徴としている。
【０００９】
このような構成とすることで、面積の大きい前面パネル５がスピーカ放音面９として機能することで、前面パネル５全体が面音源となるため、同一の奥行きを持つ通常のスピーカと比較して、十分な音圧を出力することができ、特に低音域の出力レベルを大きくできるので、良好な音響特性、再生音量を得ることができると共に、請求項１と同様に、デザイン性が良好で、水濡れによる加振器８の故障発生を防止でき、さらにスピーカの薄型軽量化に伴い収納容積減少量の最小限化を図ることができる。
【００１０】
また、上記請求項１記載の背面パネル４、又は、請求項２記載の前面パネル５のいずれかを複数枚のパネル部４Ａ,４Ｂ…（５Ａ,５Ｂ…）で構成し、各パネル部４Ａ,４Ｂ…（５Ａ,５Ｂ…）の裏面部にそれぞれ加振器８を取り付けると共に、各パネル部４Ａ,４Ｂ…（５Ａ,５Ｂ…）で発生した振動が隣接する他のパネル部或いはパネル部以外のキャビネット構成部材に伝搬するのを防止するための振動遮断手段１０を設けるのが好ましい。この場合、振動遮断手段１０によって各パネル部４Ａ,４Ｂ…（５Ａ,５Ｂ…）が互いに音響的に分離された構造となり、ビビリ音が生じることがなく、しかも不要な振動がパネル部以外のキャビネット構成部材に伝搬されることもなくなる。
【発明の効果】
【００１１】
請求項１記載の発明は、面積の大きい背面パネルがスピーカ放音面として機能することで、パネル全体が面音源となるため十分な音圧を出力することができ、さらに対面式流し台キャビネットの背面パネル全体のデザイン性が良好で、水濡れによる加振器の故障発生を防止でき、そのうえスピーカの薄型軽量化を図ることができるものである。
【００１２】
請求項２記載の発明は、面積の大きい前面パネルがスピーカ放音面として機能することで、パネル全体が面音源となるため十分な音圧を出力することができ、特に低音域の出力レベルを大きくできるので、良好な音響特性、再生音量を得ることができるものであり、さらに流し台キャビネットの前面パネル全体のデザイン性が良好で、水濡れによる加振器の故障発生を防止でき、そのうえスピーカの薄型軽量化を図ることができ、前面パネルが扉板の場合はその開閉操作性が阻害されることがないものである。
【００１３】
請求項３記載の発明は、ビビリ音を抑制でき、しかも不要な振動がパネル部以外のキャビネット構成部材に伝搬されず、互いに影響のない高品位でクリアな音が再生可能となる。
【発明を実施するための最良の形態】
【００１４】
以下、本発明を添付図面に示す実施形態に基いて説明する。
【００１５】
図３は、キッチン６と隣接するリビング７側に臨んで配置される対面式の流し台キャビネット１の一例を示している。
【００１６】
図２に示すように、流し台キャビネット１の天板１３には、一方の側部にシンク２（流し）が設けられ、他方の側部にコンロ２０が設けられている。
【００１７】
図１（ａ）に示すように、シンク２の下方に設けられるキャビネット内空間３は、キャビネット内仕切板１４により左右複数の収納空間に仕切られている。キャビネット内空間３の前方Ａは前面パネル５で覆われ、後方Ｂは背面パネル４で覆われている。図１中のＥ１、Ｅ２は収納奥行き寸法である。
【００１８】
背面パネル４は、図１（ａ）の例では３枚のパネル部４Ａ〜４Ｃで構成され、各パネル部４Ａ〜４Ｃの裏面部４ｂに、それぞれ、加振器８が取り付けられており、加振器８によりパネル部４Ａ〜４Ｃを直接振動させることで、背面パネル４のリビング７側に臨む表面部４ａをスピーカ放音面９となるように構成してある。なお、背面パネル４はスピーカ振動板として機能する材質であればよく、木製、金属製、合成樹脂製等、適宜に選択使用可能である。パネル部４Ａ〜４Ｄの枚数は適宜設計変更自在である。
【００１９】
上記加振器８は、音響信号を受けて振動を発生する磁気回路を有するものであり、例えば磁気回路と振動体とをバネ性のあるサスペンションで結合したもので、磁気回路と振動体が互いに吸引反発して動くことで振動を発生させるものである。
【００２０】
また本例では、各パネル部４Ａ〜４Ｃでそれぞれ発生した振動が他に伝搬するのを防止する振動遮断手段１０を備えている。本例では振動遮断手段１０として、粘弾性材料からなる制振ゴム１１を用いる。制振ゴム１１は、図１（ａ）に示すように、パネル部４Ａ〜４Ｃ相互間に介挿される中間制振ゴム１１ａと、パネル部４Ａ（４Ｃ）とキャビネット内仕切板１４（及びキャビネット側板１５）の端部との間に介挿される端部制振ゴム１１ｂとを備える。端部制振ゴム１１ｂは、図１（ｂ）に示すように、Ｔ字形に形成され、内部にはネジ孔付きのＴ形アングル材２１が埋設されており、固定ねじ４０を用いて端部制振ゴム１１ｂの頭部１１ｅをパネル部４Ａ（４Ｃ）に固定し、脚部１１ｆをキャビネット内仕切板１４（及びキャビネット側板１５）に固定している。
【００２１】
しかして、上記構成の背面パネル４の裏面部４ｂを内部から加振器８で直接振動させることにより、面積の大きい背面パネル４の表面部４ａ全体をスピーカ放音面９として使用できると同時に容積の大きいキャビネット内空間３全体をスピーカボックスとして使用できるので、背面パネル４全体が面音源となり、同一の奥行きを持つ通常のスピーカと比較して、十分な音圧を出力することができるものであり、特に低音域の出力レベルを大きくでき、良好な音響特性、再生音量が得られる。
【００２２】
また、各パネル部４Ａ〜４Ｃにそれぞれ複数個の加振器８を設置することで、複数チャンネルのスピーカ出力を実現でき、しかも加振器８相互間の間隔を十分に確保できるので、十分なステレオ感が得られる。さらに複数個の加振器８から再生されるステレオ再生音に加えて、再生音波の音圧の作用によって生じる背面パネル４の振動、つまり背面パネル４全体から発生する機械的な振動を人体で感知することによって、十分な超低音感を得ることができる。さらに通常のスピーカシステムを流し台キャビネット１内部に組み込む場合と比較してスピーカの薄型軽量化が図られるので、キャビネット内空間３内への突出量を抑えることができ、加振器８による収納容積減少量を最小限とすることができる。
【００２３】
また３個の加振器８を用いる場合、例えば低音用（ウーハー）、中音用（スコーカー）、高音用（ツイーター）の３ウエイシステムが可能となるので、例えばＴＶ聴取時のサラウンド音声再生として使用できるだけでなく、音楽をＢＧＭとして聴取する際にはメインスピーカとして使用できる。これは、流し台キャビネット１の背面パネル４という広い面積を面音源とすることで、音声がリビング７空間全体に広がり、どの場所で聞いても同様な聴取感を得ることが可能となる。
【００２４】
ところで図３のように、キッチン６とリビング７を同一空間に配置し、キッチン６側に対面式の流し台キャビネット１を設置し、背面パネル４と対向するリビング７の壁際にＴＶ５０等のＡＶ機器５１を設置し、キャビネット内空間３に専用アンプ５２等を内蔵した場合において、ＴＶ５０にて番組やＡＶを聴取する際に、その音源としてＡＶ機器５１にて再生される例えば、５．１ｃｈ音声を使用することが考えられる。このとき、一般的にはサラウンド再生用スピーカを使用するが、リビング７に設置するスペースがない場合があり、そこでこれをキッチン６に設置する場合は、キッチン６との間でデザイン的にマッチしなかったり、設置場所も別途確保する必要が生じる。また仮りにキッチン６に設置したとしても、配線が露出してキッチン６の作業性が阻害される要因となり、またスピーカに水がかかり故障原因となるなどの問題が生じることになるが、本実施形態の加振器８付き背面パネル４を利用することで、かかる問題は生じない。しかも、加振器８が流し台キャビネット１の外部に露出しない構造となり、キッチン６にスピーカ専用の設置スペースが不要となり、そのうえ従来のようなスピーカ音を出すための開口孔を背面パネル４に設ける必要もないため、デザインが良好となり、そのうえ常時水にさらされる流し台キャビネット１にあって、開口孔からの水の浸入がないため、加振器８に水濡れによる故障原因を回避できる利点もある。なお図３中のＨは、各パネル部４Ａ〜４Ｃから発せられた音圧分布を示している。Ｍは流し台キャビネット１の使用者、Ｍ１はリビング７に居る人である。
【００２５】
さらに本例では、図１（ａ）に示す中間制振ゴム１１ａにより各パネル部４Ａ〜４Ｃ相互間の振動干渉（矢印イ）を防止でき、また端部制振ゴム１１ｂにより各パネル部４Ａ（４Ｃ）の振動がキャビネット側板１５やキャビネット内仕切板１４等のキャビネット構成部材へ伝搬（矢印ロ）するのを防止できる。図１（ａ）中のＧは各パネル部４Ａ〜４Ｃの振動分布を示している。これにより各パネル部４Ａ〜４Ｃが互いに音響的に分離されて互いに影響しあわない構造となり、流し台キャビネット１全体でビビリ音が生じることがなく、しかも不要な振動が伝搬されず且つ互いに影響のない高品位でクリアな音を再生できる。さらに、制振ゴム１１は、外部から人体や物体が背面パネル４等に当たる際の衝撃を緩和でき、加振器８への衝撃の影響を緩和できる利点もある。
【００２６】
図４〜図６は、本発明の他の実施形態であり、流し台キャビネット１の調理等の作業面１７側に臨んで配置される前面パネル５が左右４枚の扉板１２として使用されるパネル部５Ａ〜５Ｄで構成されている。扉板１２の枚数は適宜設計変更自在である。
【００２７】
各扉板１２のキャビネット内空間３に臨む裏面部５ｂに、それぞれ、各扉板１２を直接振動させるための加振器８を取り付けることで、扉板１２の作業面１７側に臨む表面部５ａをスピーカ放音面９となるように構成している。なお、加振器８の構造は上記背面パネル４で説明した加振器８と同様である。また扉板１２はスピーカ振動板として機能する材質であればよく、木製、金属製、合成樹脂製等、適宜に選択使用可能である。
【００２８】
また本例では、扉板１２で発生した振動がキャビネット内仕切板１４やキャビネット側板１５等のキャビネット構成部材に伝搬するのを防止するための振動遮断手段１０が配設される。振動遮断手段１０として、前記例の場合と同様、粘弾性材料からなる制振ゴム１１を用いる。制振ゴム１１は、図５に示すように、扉板１２の戸先とキャビネット内仕切板１４の戸当たり部との間に介挿される戸当たり制振ゴム１１ｃと、扉板１２の戸尻とキャビネット側板１５との間に介挿される戸尻制振ゴム１１ｄとを備えている。なお図５中のＧは各扉板１２の振動分布を示し、Ｅ１、Ｅ２は収納奥行き寸法を示し、図６中のＨは各扉板１２から発せられる音圧分布を示している。
【００２９】
しかして、上記各扉板１２の表面部５ａ全体をスピーカ放音面９として使用できると同時に容積の大きいキャビネット内空間３全体をスピーカボックスとして使用できる。従って、扉板１２全体が面音源となるため、同一の奥行きを持つ通常のスピーカと比較して、十分な音圧を出力することができる。特に低音域の出力レベルを大きくできるので、良好な音響特性、再生音量を得ることができる。また複数の扉板１２毎に加振器８を備えるので、複数チャンネルのスピーカ出力を実現でき、しかも加振器８相互間の間隔を十分に確保できるので、十分なステレオ感が得られる。
【００３０】
また、加振器８が扉板１２の表面部５ａに露出しない構造となり、しかも従来のようなスピーカ音を出すための開口孔を蹴込み部などに設ける必要もないため、デザイン性が良好となり、そのうえ常時水にさらされる流し台キャビネット１にあって、開口孔からの水の浸入がないため、加振器８の故障原因を回避できる利点もある。
【００３１】
さらに、扉板１２の裏面部５ｂに加振器８を取り付けるだけでよいので、通常のスピーカシステムと比較してスピーカの薄型軽量化が図られ、これによりキャビネット内空間３内への突出量を抑えることができ、加振器８による収納容積減少量を最小限とすることができ、これに伴い扉板１２の開閉操作性が阻害されることもなくなる。
【００３２】
しかも、本例では左右４個の加振器８から再生されるステレオ再生音に加えて、再生音波の音圧の作用によって生じる扉板１２の振動、つまり扉板１２全体から発生する機械的な振動を人体で感知することによって、十分な超低音感を得ることができる。例えば図６のレイアウトにおいてキッチン６側でリビング７空間に設置しているＴＶ５０、ＡＶ機器５１の音声を聞きながら、調理作業をするというニーズが近年増加している。この場合、キッチン６作業は水道吐水音や食器音などいった騒音が多いため、リビング７空間に設置しているＴＶ５０、ＡＶ機器５１の音声が明瞭に聞こえにくく、そのため音量を大きくする必要があり、この場合、リビング７空間で視聴する人には大きすぎ、住宅外への音漏れも懸念されるという問題があるが、本実施形態の加振器８付き扉板１２を利用することで、かかる問題は生じない。つまり、専用アンプ５２にＴＶ５０、ＡＶ機器５１の音声出力を接続し、信号を増幅して加振器８を振動させて扉板１２から音声出力させることで、キッチン６作業をしながら、リビング７空間のＴＶ５０、ＡＶ機器５１を利用した音声の聴取が可能となる。
【００３３】
さらに、図５に示す制振ゴム１１（１１ａ,１１ｂ）によって扉板１２相互間の振動干渉（矢印イ）を防止でき、また各扉板１２の振動がキャビネット内仕切板１４やキャビネット側板１５へ伝搬（矢印ロ）するのを防止できるので、各扉板１２が互いに音響的に分離された構造となり、結果、ビビリ音を抑制でき、しかも不要な振動が伝搬されず且つ互いに影響のない、高品位でクリアな音を再生できる。さらに、制振ゴム１１は、外部から人体や物体が扉板１２に当たる際の衝撃を緩和でき、加振器８への衝撃の影響を緩和できる利点もある。
【００３４】
なお図４〜図６の実施形態では、前面パネル５として複数の扉板１２を説明したが、勿論これに限定されず、例えば扉板１２以外に引出し或いは幕板を備える場合は引出しの前板や幕板の裏面部に加振器８を取り付ける構成が可能である。
【００３５】
また、図４〜図６の例では、対面式流し台を例示したが、非対面式の流し台にも同様に適用可能である。
【００３６】
前記の各実施形態では、背面パネル４又は前面パネル５のいずれか一方に加振器８を備えた場合を例示したが、背面パネル４と前面パネル５の両方に加振器８を備えた構造であってもよい。また加振器８の数は複数個に限らず、１個でもよい。
【図面の簡単な説明】
【００３７】
【図１】本発明の一実施形態を示し、（ａ）は同上の流し台キャビネット内部の平面断面図であり、（ｂ）は（ａ）のＸ部に設けられる制振ゴムの拡大断面図である。
【図２】（ａ）は同上の対面式の流し台キャビネットの斜視図、（ｂ）は平面図である。
【図３】図１の対面式の流し台キャビネットの設置例を説明する平面図である。
【図４】本発明の他の実施形態を示し、（ａ）は対面式の流し台キャビネットの斜視図、（ｂ）は平面図である。
【図５】（ａ）は同上の流し台キャビネット内部の平面断面図であり、（ｂ）は（ａ）のＹ部に設けられる制振ゴムの拡大図である。
【図６】図４の対面式の流し台キャビネットの設置例を説明する平面図である。
【符号の説明】
【００３８】
１  流し台キャビネット
２  シンク
３  キャビネット内空間
４  背面パネル
４ａ  裏面部
４Ａ〜４Ｃ  パネル部
５  前面パネル
５ａ  裏面部
５Ａ〜５Ｄ  パネル部
６  キッチン
７  リビング
８  加振器
９  スピーカ放音面
１０  振動遮断手段
１７  作業面
Ａ  前方
Ｂ  後方
【図１】
2010051408.tif 000003
【図２】
2010051408.tif 000004
【図３】
2010051408.tif 000005
【図４】
2010051408.tif 000006
【図５】
2010051408.tif 000007
【図６】
2010051408.tif 000008